(57)【特許請求の範囲】
【請求項１】
内径側環状壁と、外径側環状壁と、これら両環状壁の周方向に所定の間隔を隔てて掛け渡された複数の柱部と、これら隣接する柱部の間に形成された複数のポケットとをそれぞれ備えた保持器が一対のレースの間に半径方向２列同心に分離配置されており、これら複数の各ポケット内にころが係止された状態で回転可能に保持された複列スラストころ軸受であって、
内径側保持器は、
その内径側環状壁が、一方のレースの内径端に設けた環状フランジによって内径ガイドされ、
外径側保持器は、
その内径側環状壁が、内径側保持器の外径側環状壁に対して嵌め合い状態となるように内径ガイドされ、
外径側保持器の内径側環状壁は、その先端が折り曲げられて２重構造となっており、その折り曲げによって形成された延設壁の内周面は、その高さ方向の中央部が内径側保持器の外径側環状壁の外周面に向けて突出するようクラウニング状、または、その高さ方向の上下部が内径側保持器の外径側環状壁の外周面に向けてそれぞれ先細りとなる台形状に形成されていることを特徴とする複列スラストころ軸受。
【請求項２】
内径側環状壁と、外径側環状壁と、これら両環状壁の周方向に所定の間隔を隔てて掛け渡された複数の柱部と、これら隣接する柱部の間に形成された複数のポケットとをそれぞれ備えた保持器が一対のレースの間に半径方向２列同心に分離配置されており、これら複数の各ポケット内にころが係止された状態で回転可能に保持された複列スラストころ軸受であって、
内径側保持器は、
その内径側環状壁が、一方のレースの内径端に設けた環状フランジによって内径ガイドされ、
外径側保持器は、
その内径側環状壁が、内径側保持器の外径側環状壁に対して嵌め合い状態となるように内径ガイドされ、
内径側保持器の外径側環状壁は、その先端が折り曲げられて２重構造となっており、その折り曲げによって形成された延設壁の外周面は、その高さ方向の中央部が外径側保持器の内径側環状壁の内周面に向けて突出するようクラウニング状、または、その高さ方向の上下部が外径側保持器の内径側環状壁の内周面に向けてそれぞれ先細りとなる台形状に形成されていることを特徴とする複列スラストころ軸受。
【発明の詳細な説明】
【技術分野】
【０００１】
本発明は、保持器が半径方向２列同心に分離配置されており、これら複数の各ポケット内にころが係止された状態で回転可能に保持された複列スラストころ軸受に関する。
【背景技術】
【０００２】
この種の複列スラストころ軸受として、本発明者が既に出願した技術（特願２００６−０４５１６６号、本出願時未公開）が存在する。この技術では、図３〜４に示すように、半径方向に２列同心に分離配置された保持器２０、１２０を備えた複列スラストころ軸受が知られている。この両保持器２０、１２０のうち、内径側保持器２０は、内径側環状壁４１と、外径側環状壁５１と、これら両環状壁４１、５１の周方向に所定間隔を隔てて掛け渡された複数の柱部３０とを備え断面略Ｍ字状に形成されている。そして、隣接するの柱部３０の間にはポケット３１が形成され、隣接する柱部３０の相対する面３３の径方向中間部と径方向両端部からポケット３１内に向けて抜止突部３３ａ、３３ｂがそれぞれ突出されている。また、外径側保持器１２０も内径側保持器２０と同様に構成され、内径側環状壁１４１と、外径側環状壁１５１と、これら両環状壁１４１、１５１の周方向に所定間隔を隔てて掛け渡された複数の柱部１３０とを備え断面略Ｍ字状に形成されている。そして、隣接するの柱部１３０の間にはポケット１３１が形成され、隣接する柱部１３０の相対する面１３３の径方向中間部と径方向両端部からポケット１３１内に向けて抜止突部１３３ａ、１３３ｂがそれぞれ突出されている。そして、複列スラストころ軸受は、１対のレース６０、７０と、これら１対のレース６０、７０の間に介挿される複数のころ１０と、これらころ１０を円周方向に所定間隔を隔てて保持する２列の保持器２０、１２０とを備えて構成されている。
なお、この種の複列スラストころ軸受に関連する公知技術としては、例えば、特許文献１に開示されている。
【特許文献１】特願２００６−１９４２９２号公報
【発明の開示】
【発明が解決しようとする課題】
【０００３】
しかしながら、上述した複列スラストころ軸受では、図４に示すように、内径側保持器２０の内径側環状壁４１の内周面は、一方のレース６０の内径端に設けた環状フランジ６１によって内径ガイドされていた。また、外径側保持器１２０の外径側環状壁１５１の外周面は、他方のレース７０の外径端に設けた環状フランジ７１によって外径ガイドされていた。そのため、内径側保持器２０の外径側環状壁５１と外径側保持器１２０の内径側環状壁１４１との間に大きなクリアランスＣが生じることになり、結果として、保持器を複列に設けた場合、半径方向の距離が長くなってしまうという問題が発生していた。
【０００４】
この発明の目的は、前記問題点に鑑み、半径方向の距離が無駄に長くなることがない複列スラストころ軸受を提供することである。
【課題を解決するための手段】
【０００５】
本発明は、上記の目的を達成するためのものであって、以下のように構成されている。
請求項１に記載の発明は、内径側環状壁と、外径側環状壁と、これら両環状壁の周方向に所定の間隔を隔てて掛け渡された複数の柱部と、これら隣接する柱部の間に形成された複数のポケットとをそれぞれ備えた保持器が一対のレースの間に半径方向２列同心に分離配置されており、これら複数の各ポケット内にころが係止された状態で回転可能に保持された複列スラストころ軸受であって、内径側保持器は、その内径側環状壁が、一方のレースの内径端に設けた環状フランジによって内径ガイドされ、外径側保持器は、その内径側環状壁が、内径側保持器の外径側環状壁に対して嵌め合い状態となるように内径ガイドされ、外径側保持器の内径側環状壁は、その先端が折り曲げられて２重構造となっており、その折り曲げによって形成された延設壁の内周面は、その高さ方向の中央部が内径側保持器の外径側環状壁の外周面に向けて突出するようクラウニング状、または、その高さ方向の上下部が内径側保持器の外径側環状壁の外周面に向けてそれぞれ先細りとなる台形状に形成されていることを特徴とする。
この構成によれば、外径側保持器は、内径側保持器によって内径ガイドされているため、これら両保持器の間に無駄なクリアランスが生じることはない。したがって、複列スラストころ軸受の半径方向の距離を抑えることができる。また、この構成によれば、外径側保持器と内径側保持器は、軽微な嵌め合い構造となっているため、複列スラストころ軸受を組み立てるときの作業性を向上させることができる。すなわち、例えば、複列スラストころ軸受が、一方のレースに内径側保持器を組み付けて、その後、内径側保持器に外径側保持器を組み付けて、最後に、一方のレースに他方のレースを組み付けて組み立てられているとき、内径側保持器に外径側保持器を組み付けると、軽微な嵌め合い構造によって内径側保持器に対して外径側保持器が一体状態となる。そのため、一方のレースに他方のレースを組み付けるときの作業性を向上させることができる。また、この構成によれば、外径側保持器の内径側環状壁は、その先端が折り曲げられて２重構造となっている。そのため、この２重構造のうち、内径側環状壁の高さは、ころが抜け落ちることがない高さに設定することができる。一方、延設壁の高さは、内径側保持器の外径側環状壁に対応させて設定することができる。したがって、ころと内径側保持器の外径側環状壁に対応させて、それぞれの高さを設定することができる。
【０００６】
また、請求項２に記載の発明は、内径側環状壁と、外径側環状壁と、これら両環状壁の周方向に所定の間隔を隔てて掛け渡された複数の柱部と、これら隣接する柱部の間に形成された複数のポケットとをそれぞれ備えた保持器が一対のレースの間に半径方向２列同心に分離配置されており、これら複数の各ポケット内にころが係止された状態で回転可能に保持された複列スラストころ軸受であって、内径側保持器は、その内径側環状壁が、一方のレースの内径端に設けた環状フランジによって内径ガイドされ、外径側保持器は、その内径側環状壁が、内径側保持器の外径側環状壁に対して嵌め合い状態となるように内径ガイドされ、内径側保持器の外径側環状壁は、その先端が折り曲げられて２重構造となっており、その折り曲げによって形成された延設壁の外周面は、その高さ方向の中央部が外径側保持器の内径側環状壁の内周面に向けて突出するようクラウニング状、または、その高さ方向の上下部が外径側保持器の内径側環状壁の内周面に向けてそれぞれ先細りとなる台形状に形成されていることを特徴とする。
この構成によれば、請求項１における外径側保持器の内径側環状壁の特徴的な構造を内径側保持器の外径側環状壁に適用した形態であるため、請求項１に記載の発明と同様の作用効果を得ることができる。
【発明を実施するための最良の形態】
【００１１】
以下、本発明を実施するための最良の形態を、図１〜２を用いて説明する。
図１は、本発明の実施例に係る複列スラストころ軸受の内径側保持器と外径側保持器のそれぞれ一部を破断して示す斜視図である。図２は、図１のＡ−Ａ断面図である。
【００１２】
複列スラストころ軸受は、１対のレース６０、７０と、これら１対のレース６０、７０の間に介挿される複数のころ１０と、これらころ１０を円周方向に所定間隔を隔てて保持する２列の保持器２２０、３２０とを備えて構成されている。
【００１３】
図１、２に示すように、半径方向に２列同心に分離配置された保持器２２０、３２０のうち、内径側保持器２２０は、内径側環状壁２４１と、外径側環状壁２５１と、これら両環状壁２４１、２５１の周方向に所定間隔を隔てて掛け渡された複数の柱部２３０とを備え断面略Ｍ字状に形成されている。そして、隣接するの柱部２３０の間にはポケット２３１が形成され、隣接する柱部２３０の相対する面２３３の径方向中間部と径方向両端部からポケット２３１内に向けて抜止突部２３３ａ、２３３ｂがそれぞれ突出されている。
【００１４】
この内径側保持器２２０の各ポケット２３１内には各抜止突部２３３ａ、２３３ｂによって係止された状態でころ１０が回転可能に保持されている。そして、ポケット２３１内にころ１０が保持された状態において、ポケット２３１から軸方向一方へのころ１０の抜け出しが径方向中間部の抜止突部２３３ａによって防止され、ポケット２３１から軸方向他方へのころ１０の抜け出しが径方向両端部の抜止突部２３３ｂによって防止されている。
【００１５】
また、外径側保持器３２０も内径側保持器２２０と同様に構成され、内径側環状壁３４１と、外径側環状壁３５１と、これら両環状壁３４１、３５１の周方向に所定間隔を隔てて掛け渡された複数の柱部３３０とを備え断面略Ｍ字状に形成されている。そして、隣接するの柱部３３０の間にはポケット３３１が形成され、隣接する柱部３３０の相対する面３３３の径方向中間部と径方向両端部からポケット３３１内に向けて抜止突部３３３ａ、３３３ｂがそれぞれ突出されている。
【００１６】
この外径側保持器３２０の各ポケット３３１内には各抜止突部３３３ａ、３３３ｂによって係止された状態でころ１０が回転可能に保持されている。そして、ポケット３３１内にころ１０が保持された状態において、ポケット３３１から軸方向一方へのころ１０の抜け出しが径方向中間部の抜止突部３３３ａによって防止され、ポケット３３１から軸方向他方へのころ１０の抜け出しが径方向両端部の抜止突部３３３ｂによって防止されている。
【００１７】
また、外径側保持器３２０の内径側環状壁３４１は、その先端が折り曲げられて２重構造となっており、その折り曲げによって形成された延設壁３４１ａの内周面は、図２の一部拡大図からも明らかなように、その高さ方向の中央部Ｘが内径側保持器２２０の外径側環状壁２５１の外周面に向けて突出するようクラウニング状に形成されている。このとき、内径側環状壁３４１の高さは、ころ１０が抜け落ちることがない高さに設定されている。これに対し、延設壁３４１ａの高さは、内径側保持器２２０の外径側環状壁２５１に対応して設定されている。
【００１８】
そして、内径側保持器２２０は、その内径側環状壁２４１の内周面が、一方のレース６０の内径端に設けた環状フランジ６１によって内径ガイドされている。また、外径側保持器３２０は、その内径側環状壁３４１の延設壁３４１ａの内周面が、内径側保持器２２０の外径側環状壁２５１の外周面によって内径ガイドされている。
【００１９】
このとき、外径側保持器３２０は、その内径側環状壁３４１の延設壁３４１ａの内周面が内径側保持器２２０の外径側環状壁２５１の外周面に対して嵌め合い状態となるように内径ガイドされている。すなわち、外径側保持器３２０と内径側保持器２２０は、複列スラストころ軸受を使用したとき、外径側保持器３２０の内径側環状壁３４１の延設壁３４１ａの内周面が内径側保持器２２０の外径側環状壁２５１の外周面から分離しない程度の軽微な嵌め合い構造となっている。
【００２０】
また、内径側保持器２２０の外径側環状壁２５１の外周面および／または外径側保持器３２０の延設壁３４１ａの内周面は、ＭｏＳ2（二酸化モリブデン）、銀等の滑り性に優れるコーティング膜によって覆われている。
【００２１】
なお、上述したように構成される内径側保持器２２０は、鋼板のプレス加工によって一体に成形され、このプレス加工と同時に、または、プレス加工後、各ポケット２３１が打ち抜かれ、これと同時に各抜止突部２３３ａ、２３３ｂが形成されている。このことは、外径側保持器３２０も同様である。
【００２２】
この実施例に係る複列スラストころ軸受は、上述したように構成されている。
この構成によれば、外径側保持器３２０は、内径側保持器２２０によって内径ガイドされているため、これら両保持器２２０、３２０の間に無駄なクリアランスが生じることはない。したがって、複列スラストころ軸受の半径方向の距離を抑えることができる。
【００２３】
また、この構成によれば、外径側保持器３２０と内径側保持器２２０は、軽微な嵌め合い構造となっているため、複列スラストころ軸受を組み立てるときの作業性を向上させることができる。すなわち、例えば、複列スラストころ軸受が、一方のレース６０に内径側保持器２２０を組み付けて、その後、内径側保持器２２０に外径側保持器３２０を組み付けて、最後に、一方のレース６０に他方のレース７０を組み付けて組み立てられているとき、内径側保持器２２０に外径側保持器３２０を組み付けると、軽微な嵌め合い構造によって内径側保持器２２０に対して外径側保持器３２０が一体状態となる。そのため、一方のレース６０に他方のレース７０を組み付けるときの作業性を向上させることができる。
【００２４】
また、この構成によれば、外径側保持器３２０の延設壁３４１ａの内周面が、内径側保持器２２０の外径側環状壁２５１の外周面によって内径ガイドされている。そのため、これら両周面に磨耗が生じる場合であっても、延設壁３４１ａの内周面はクラウニング形状となっているため、エッジロード（集中荷重）が発生することなく、その磨耗量を減少させることができる。また、これら両周面に生じるバラツキも防止することができる。さらに、両保持器２２０、３２０間に傾きが発生した場合でも、エッジロードを防止することができる。
【００２５】
また、この構成によれば、外径側保持器３２０の内径側環状壁３４１は、その先端が折り曲げられて２重構造となっている。そのため、この２重構造のうち、内径側環状壁３４１の高さは、ころ１０が抜け落ちることがない高さに設定することができる。一方、延設壁３４１ａの高さは、内径側保持器２２０の外径側環状壁２５１に対応させて設定することができる。したがって、ころ１０と内径側保持器２２０の外径側環状壁２５１に対応させて、それぞれの高さを設定することができる。
【００２６】
上述した内容は、あくまでも本発明の一実施の形態に関するものであって、本発明が上記内容に限定されることを意味するものではない。
実施例では、外径側保持器３２０の延設壁３４１ａの内周面は、その高さ方向の中央部Ｘが内径側保持器２２０の外径側環状壁２５１の外周面に向けて突出するようクラウニング状に形成されている構成を説明した。しかし、これに限定されるものでなく、外径側保持器３２０の延設壁３４１ａの内周面は、その高さ方向の上下部が内径側保持器２２０の外径側環状壁２５１の外周面に向けて先細りとなる台形状に形成されている構成であっても構わない。その場合でも、実施例と同様の作用効果を得ることができる。
【００２７】
また、実施例では、外径側保持器３２０の内径側環状壁３４１の先端は折り曲げられて２重構造となっており、その折り曲げによって延設壁３４１ａが形成され、その延設壁３４１ａの内周面が内径側保持器２２０の外径側環状壁２５１の外周面によって内径ガイドされている構成を説明した。しかし、これに限定されるものでなく、内径側保持器２２０の外径側環状壁２５１の先端は折り曲げられて２重構造となっており、その折り曲げによって延設壁が形成され、その延設壁の外周面が外径側保持器３２０の内径側環状壁３４１の内周面によって外径ガイドされている構成でも構わない。その場合でも、実施例と同様の作用効果を得ることができる。
【図面の簡単な説明】
【００２８】
【図１】図１は、本発明の実施例に係る複列スラストころ軸受の内径側保持器と外径側保持器のそれぞれ一部を破断して示す斜視図である。
【図２】図２は、図１のＡ−Ａ断面図である。
【図３】図３は、従来技術の複列スラストころ軸受の内径側保持器と外径側保持器のそれぞれ一部を破断して示す斜視図である。
【図４】図４は、図３のＢ−Ｂ断面図である。
【符号の説明】
【００２９】
１０    ころ
６０    一方のレース
６１    環状フランジ
２２０  内径側保持器
２３０  柱部
２３１  ポケット
２４１  内径側環状壁
２５１  外径側環状壁
３２０  外径側保持器
３３０  柱部
３３１  ポケット
３４１  内径側環状壁
３５１  外径側環状壁
【図１】
0005277756.tif 000002
【図２】
0005277756.tif 000003
【図３】
0005277756.tif 000004
【図４】
0005277756.tif 000005